(57)【要約】      （修正有）【課題】マスクを長時間に渡り連続して使用するときでも、ゴム製又は布製のリング状の紐がユーザーの耳介後部の皮膚に痛み、苦痛を感じさせることを防止できる、マスク紐減圧型皮膚保護用具を提供する。【解決手段】マスク紐１２中の少なくとも耳介後部に対向する部分が安定的に配置されるマスク紐挿通部３１と、マスク紐挿通部を耳介後部に装着させるための湾曲部３１ｅとを備え、マスクの紐による耳介上面の溝への圧迫を減ずるために、紐と耳介の間に挿入するマスク紐減圧型皮膚保護用具であって、側頭部と耳介の合する部位の上面の溝の弯曲の度合いが、用具の方が弱く（溝の横断面での曲率の半径が用具の方がより長く）形成され、用具が溝に直接当たらない又は当たりにくいように作られている。【選択図】図１
0003229972.tif 000002
【実用新案登録請求の範囲】
【請求項１】
マスクの紐による耳介上面の溝への圧迫を減ずるために、紐と耳介の間に挿入するマスク紐減圧型皮膚保護用具であって、側頭部と耳介の合する部位の上面の溝の弯曲の度合いが、当該用具の方が鋭くなく弱く（すなわち、溝の横断面での曲率の半径が当該用具の方がより長く）形成されており、当該用具が溝に直接当たらない又は当たりにくいように作られている、ことを特徴とするマスク紐減圧型皮膚保護用具。
【請求項２】
マスク紐の当接により発生するユーザーの耳介後部又はその周辺の皮膚の痛みを改善又は防止するためのマスク紐減圧型皮膚保護用具であって、マスク紐中の少なくともユーザーの耳介後部に対向する部分が安定的に配置される略チューブ状のマスク紐挿通部であって、その長手方向に沿ってマスク紐が挿通可能なスリットが形成されている略チューブ状のマスク紐挿通部と、前記略チューブ状のマスク紐挿通部をユーザーの耳介後部又はその周辺に装着させるための湾曲部であってユーザーの耳介上部に装着可能な湾曲部とを備えており、前記略チューブ状のマスク紐挿通部は、ユーザー側に近接する部分がユーザーの側頭部と耳介後部とがなす溝の最深部に接触しないように、すなわちユーザー側に近接する部分がユーザーの側頭部と耳介後部とがなす角度よりも大きな角度となるように形成されており、これにより、前記マスク紐により前記溝及びその周辺部分に加えられる圧力を減じる（減圧する）ように構成されていることを特徴とする、マスク紐減圧型皮膚保護用具。
【請求項３】
マスク紐の当接により発生するユーザーの耳介後部又はその周辺の皮膚の痛みを改善又は防止するためのマスク紐減圧型皮膚保護用具であって、マスク紐中の少なくともユーザーの耳介後部に対向する部分が安定的に配置される長尺凹部状のマスク紐挿通部と、前記長尺凹部をユーザーの耳介後部又はその周辺に装着させるための湾曲部であってユーザーの耳介上部に装着可能な湾曲部とを備えており、前記長尺凹部状のマスク紐挿通部は、ユーザー側に近接する部分がユーザーの側頭部と耳介後部とがなす溝の最深部に接触しないように、すなわちユーザー側に近接する部分がユーザーの側頭部と耳介後部とがなす角度よりも大きな角度となるように形成されており、これにより、前記マスク紐により前記溝及びその周辺部分に加えられる圧力を減じる（減圧する）ように構成されていることを特徴とする、請求項２に記載のマスク紐減圧型皮膚保護用具。
【請求項４】
前記長尺凹部状のマスク紐挿通部と湾曲部は、柔軟性又は可とう性を有する樹脂素材又は金属素材により一体的に形成されている、請求項２又は３に記載のマスク紐減圧型皮膚保護用具。
【請求項５】
前記長尺凹部状のマスク紐挿通部と湾曲部は、柔軟性又は可とう性を有する樹脂素材又は金属素材により形成された断面略Ｖ字状の長尺板が耳介後部の形状に沿うように折曲げられることにより一体的に形成されている、請求項３又は４に記載のマスク紐減圧型皮膚保護用具。
【請求項６】
少なくとも前記マスク紐挿通部のユーザーの皮膚側には、厚さ０．５〜２．０ｍｍの保護層が備えられている、請求項２から５までのいずれかに記載のマスク紐減圧型皮膚保護用具。
【請求項７】
前記マスク紐挿通部には、前記長尺凹部の上側開口部の一部を塞ぐ塞ぎ部が備えられている、請求項２から６までのいずれかに記載のマスク紐減圧型皮膚保護用具。
【請求項８】
マスク紐中のユーザーの頬の皮膚に当接する部分を取り付け又は保持可能で且つユーザーの頬の皮膚に対向又は当接可能な平板状保護具をさらに備えている、請求項２から７までのいずれかに記載のマスク紐減圧型皮膚保護用具。
【請求項９】
前記平板状保護具のユーザーの皮膚側には、厚さ０．５〜２．０ｍｍの保護層が備えられている、請求項８に記載のマスク紐減圧型皮膚保護用具。
【考案の詳細な説明】
【技術分野】
【０００１】
本考案は、マスク紐がユーザーの皮膚に長時間当接、圧迫することにより発生するユーザーの耳介後部又はその周辺の皮膚などの痛みを改善又は防止するための保護用具に関する。
【背景技術】
【０００２】
従来より、インフルエンザ等の感染防止のために布製又は紙（不織布）製のマスクが市販、使用されている（例えば特許文献１参照）。図５はこのような従来のマスクをユーザーが使用している状態を示す概略図である。
【０００３】
従来のマスク１１は、図５に示すように、マスク１１の左右両端部１１ａの上下にそれぞれ取り付けられたゴム製又は布製（不織布製を含む）のリング状の紐１２がユーザーの耳介後部に回されて（当接されて）引っ掛けられることにより、ユーザーの顔に配置、装着される。また、このとき、前記リング状紐１２のマスク１１の両端部１１ａ側の部分は、ユーザーの頬の一部（特にユーザーの頬の中の比較的突出している部分。図５の符号１２ｂ参照）に当接される。
【先行技術文献】
【特許文献】
【０００４】
【特許文献１】特開２０１７−２１８７１９号公報
【考案の概要】
【考案が解決しようとする課題】
【０００５】
ところで、ユーザーがこのようなマスク１１を長時間に渡り連続して使用するときは、前記ゴム製又は布製（不織布製を含む）のリング状の紐１２（図５において破線で示したマスク紐１２’を参照）が、ユーザーの耳介後部の皮膚を長時間に渡り圧迫することにより、ユーザーに痛み、苦痛を感じさせることが少なくなかった。また、同様に、ユーザーが前記マスク１１を長時間に渡り連続して使用するときは、前記マスク１１の紐１２の一部が当接するユーザーの頬の皮膚（図５の符号１２ｂ参照）に対しても、前記紐１２が長時間に渡り圧迫することによりユーザーに痛み、苦痛を感じさせることが少なくなかった。
【０００６】
本考案はこのような従来技術の問題点に着目して考案されたものであって、ユーザーがマスクを長時間に渡り連続して使用するときでも、前記ゴム製又は布製（不織布製を含む）のリング状の紐１２がユーザーの耳介後部の皮膚に痛み、苦痛を感じさせることを防止することができる、マスク紐減圧型皮膚保護用具を提供することを目的とする。また、本考案は、ユーザーがマスクを長時間に渡り連続して使用するときでも、前記マスク１１の紐１２の一部が当接するユーザーの頬の皮膚（図５の符号１２ｂ参照）に痛み、苦痛を感じさせることを防止することができる、マスク紐減圧型皮膚保護用具を提供することを目的とする。
【課題を解決するための手段】
【０００７】
このような課題を解決するための本考案によるマスク紐減圧型皮膚保護用具は、マスク紐中の少なくともユーザーの耳介後部に対向する部分が安定的に配置されるマスク紐挿通部と、前記マスク紐挿通部をユーザーの耳介後部に装着させるための湾曲部とを備えており、マスクの紐による耳介上面の溝への圧迫を減ずるために、紐と耳介の間に挿入するマスク紐減圧型皮膚保護用具であって、側頭部と耳介の合する部位の上面の溝の弯曲の度合いが、当該用具の方が鋭くなく弱く（すなわち、溝の横断面での曲率の半径が当該用具の方がより長く）形成されており、当該用具が溝に直接当たらない又は当たりにくいように作られている、ことを特徴とするマスク紐減圧型皮膚保護用具である。
【０００８】
また、本発明によるマスク紐減圧型皮膚保護用具は、マスク紐の当接により発生するユーザーの耳介後部又はその周辺の皮膚の痛みを改善又は防止するためのマスク紐減圧型皮膚保護用具であって、マスク紐中の少なくともユーザーの耳介後部に対向する部分が安定的に配置される略チューブ状のマスク紐挿通部であって、その長手方向に沿ってマスク紐が挿通可能なスリットが形成されている略チューブ状のマスク紐挿通部と、前記略チューブ状のマスク紐挿通部をユーザーの耳介後部又はその周辺に装着させるための湾曲部であってユーザーの耳介上部に装着可能な湾曲部とを備えており、前記略チューブ状のマスク紐挿通部は、ユーザー側に近接する部分がユーザーの側頭部と耳介後部とがなす溝の最深部に接触しないように、すなわちユーザー側に近接する部分がユーザーの側頭部と耳介後部とがなす角度よりも大きな角度となるように形成されており、これにより、前記マスク紐により前記溝及びその周辺部分に加えられる圧力を減じる（減圧する）ように構成されていることを特徴とするものである。
【０００９】
また、本発明によるマスク紐減圧型皮膚保護用具は、マスク紐の当接により発生するユーザーの耳介後部又はその周辺の皮膚の痛みを改善又は防止するためのマスク紐減圧型皮膚保護用具であって、マスク紐中の少なくともユーザーの耳介後部に対向する部分が安定的に配置される長尺凹部状のマスク紐挿通部と、前記長尺凹部状のマスク紐挿通部をユーザーの耳介後部又はその周辺に装着させるための湾曲部であってユーザーの耳介上部に装着可能な湾曲部とを備えており、前記長尺凹部状のマスク紐挿通部は、ユーザー側に近接する部分がユーザーの側頭部と耳介後部とがなす溝の最深部に接触しないように、すなわちユーザー側に近接する部分がユーザーの側頭部と耳介後部とがなす角度よりも大きな角度となるように形成されており、これにより、前記マスク紐により前記溝及びその周辺部分に加えられる圧力を減じる（減圧する）ように構成されていることを特徴とするものである。
【００１０】
また、本考案によるマスク紐減圧型皮膚保護用具において、前記マスク紐挿通部と湾曲部は、柔軟性又は可とう性を有する樹脂素材又は金属素材により一体的に形成されていてもよい。
【００１１】
また、本考案によるマスク紐減圧型皮膚保護用具において、前記マスク紐挿通部と湾曲部は、柔軟性又は可とう性を有する樹脂素材又は金属素材により形成された断面略Ｖ字状の長尺板がユーザーの耳介後部の形状に沿うように折曲げられることにより一体的に形成されていてもよい。
【００１２】
また、本考案によるマスク紐減圧型皮膚保護用具においては、前記マスク紐挿通部に、前記長尺凹部の上側開口部の一部を塞ぐ塞ぎ部が備えられていてもよい。
【００１３】
また、本考案によるマスク紐減圧型皮膚保護用具においては、前記マスク紐挿通部のユーザーの皮膚側に、例えばスポンジ製の厚さ約１〜３ｍｍ（又は約０．５〜２．０ｍｍ）の保護層が備えられていてもよい。
【００１４】
また、本考案によるマスク紐減圧型皮膚保護用具においては、マスク紐中のユーザーの頬の皮膚に当接する部分を取り付け又は保持可能で且つユーザーの頬の皮膚に対向又は当接可能な平板状保護具（図４（ａ）及び（ｂ）参照）をさらに備えていてもよい。
【００１５】
さらに、本考案によるマスク紐減圧型皮膚保護用具においては、前記平板状保護具のユーザーの皮膚側に、厚さ０．５〜２．０ｍｍの保護層（例えばスポンジ製）が備えられていてもよい。
【考案の効果】
【００１６】
本考案によれば、マスク紐中の少なくともユーザーの耳介後部に対向する部分が安定的に配置される略チューブ状又は長尺凹部状のマスク紐挿通部を備えるようにしたので、マスク紐が直接にユーザーの耳介後部の皮膚に当接することがなく、マスク紐が略チューブ状又は長尺凹部状のマスク紐挿通部を介してユーザーの耳介後部の皮膚に対向、配置されることになるので、従来のようにマスク紐がユーザーの耳介後部の皮膚に直接に当接し圧迫して（しかも長時間に渡り当接し圧迫して）ユーザーの耳介後部又はその周辺の皮膚に痛みを生じさせることを回避できるようになる。すなわち、本発明においては、前記略チューブ状又は長尺凹部状のマスク紐挿通部のユーザー側に近接する部分が、ユーザーの側頭部と耳介後部とがなす溝の最深部に接触しないように、すなわち前記略チューブ状又は長尺凹部状のマスク紐挿通部のユーザー側に近接する部分が、ユーザー側に近接する部分がユーザーの側頭部と耳介後部とがなす角度よりも大きな角度となるように形成されており、これにより、前記マスク紐により前記溝及びその周辺部分に加えられる圧力を減じる（減圧する）ように構成されているので、従来のようにマスク紐がユーザーの耳介後部の皮膚に直接に当接し圧迫して（しかも長時間に渡り当接し圧迫して）ユーザーの耳介後部又はその周辺の皮膚に痛みを生じさせることを、確実に回避、防止できるようになる。
【００１７】
また、本考案において、前記長尺凹部と湾曲部を、柔軟性又は可とう性を有する、スポンジ素材、ゴム素材、樹脂素材又は金属素材により一体的に形成するようにしたときは、個々のユーザーは、前記長尺凹部と湾曲部から成るマスク紐減圧型皮膚保護用具の形状を、自らの耳介後部の形状にフィットするように容易に折り曲げ状態等を微調整できるようになる。
【００１８】
また、本考案において、前記略チューブ状又は長尺凹部状のマスク紐挿通部と湾曲部を、柔軟性又は可とう性を有する、スポンジ素材又はゴム素材により形成された略チューブ体が、又は、樹脂素材又は金属素材により形成された断面略Ｖ字状の長尺板が、ユーザーの耳介後部の形状に沿うように折曲げられることにより一体的に形成されるようにしたときは、極めて単純な構成だけで且つ低コストで、マスク紐減圧型皮膚保護用具を製造できると共に、個々のユーザーは前記略チューブ状又は長尺凹部状のマスク紐挿通部と湾曲部から成るマスク紐減圧型皮膚保護用具の形状を自らの耳介後部の形状にフィットするように容易に折り曲げ状態等を微調整できるようになる。
【００１９】
また、本考案において、前記略チューブ状又は長尺凹部状のマスク紐挿通部のユーザーの皮膚側に、例えばスポンジ製の厚さ約１〜３ｍｍ（又は約０．５〜２．０ｍｍ）の保護層を備えるようにしたときは、ユーザーの耳介後部には常に柔らかい多孔質のスポンジ製などの保護層が当接されるので、前記マスク紐による耳介後部又はその周辺の皮膚への痛みの発生を、より確実に回避、防止できるようになる。
【００２０】
また、本考案において、前記略チューブ状又は長尺凹部状のマスク紐挿通部に、前記略チューブ状又は長尺凹部状のマスク紐挿通部のスリット又は上側開口部の一部を塞ぐ塞ぎ部を備えるようにしたときは、前記略チューブ状又は長尺凹部状のマスク紐挿通部中に配置されるマスク紐が前記略チューブ状又は長尺凹部状のマスク紐挿通部から外側に移動することを確実に防止できるようになる。
【００２１】
また、本考案において、マスク紐中のユーザーの頬の皮膚に当接する部分を取り付け又は保持可能で且つユーザーの頬の皮膚に対向又は当接可能な平板状保護具をさらに備えるようにしたときは、前記マスクの紐中のユーザーの頬の皮膚に当接する部分がユーザーの頬の皮膚に痛み、苦痛を感じさせることを有効に回避、防止できるようになる。
【００２２】
さらに、本考案において、前記平板状保護具のユーザーの皮膚側に、厚さ０．５〜２．０ｍｍのスポンジ製などの保護層を備えるようにしたときは、前記マスクの紐中のユーザーの頬の皮膚に当接する部分に対向するユーザーの頬には常に柔らかい多孔質のスポンジ製などの保護層が当接されるので、前記マスクの紐中のユーザーの頬の皮膚に当接する部分に対向するユーザーの頬の部分への痛みの発生を、より確実に回避、防止できるようになる。
【図面の簡単な説明】
【００２３】
【図１】本考案の実施形態１によるマスク紐減圧型皮膚保護用具を説明するための概略図で、（ａ）は本実施形態１を構成する略チューブ体（略チューブ状のマスク紐挿通部）の長手方向と直交する方向の断面図、（ｂ）は前記略チューブ体（略チューブ状のマスク紐挿通部）の折り曲げられる前の側部を示す斜視図、（ｃ）は前記略チューブ体（略チューブ状のマスク紐挿通部）がユーザーの耳介後部の形状に沿うように折曲げられた状態を示す側面図である。
【図２】本考案の実施形態２によるマスク紐減圧型皮膚保護用具を説明するための概略図で、（ａ）はマスク紐減圧型皮膚保護用具を構成する長尺板の長尺方向と直交する方向の断面図、（ｂ）は前記長尺板の折り曲げられる前の側部を示す斜視図、（ｃ）は前記長尺板がユーザーの耳介後部の形状に沿うように折曲げられた状態（湾曲部を含む状態）を示す側面図である。
【図３】本考案の実施形態３によるマスク紐減圧型皮膚保護用具を説明するための概略図である。
【図４】本考案の実施形態４によるマスク紐減圧型皮膚保護用具を説明するための概略図である。
【図５】従来のマスク及びマスク紐を説明するための概略図である。
【考案を実施するための形態】
【００２４】
以下、本考案の実施形態１について説明する。
〔実施形態１〕
図１は、本考案の実施形態１によるマスク紐減圧型皮膚保護用具を説明するための概略図で、（ａ）は本実施形態１を構成する略チューブ体（略チューブ状のマスク紐挿通部）の長手方向と直交する方向の断面図、（ｂ）は前記略チューブ体（略チューブ状のマスク紐挿通部）の折り曲げられる前の側部を示す斜視図、（ｃ）は前記略チューブ体（略チューブ状のマスク紐挿通部）がユーザーの耳介後部の形状に沿うように折曲げられた状態を示す側面図である。
【００２５】
この図１において、３１は略チューブ状のマスク紐挿通部である。前記略チューブ状のマスク紐挿通部３１は、柔軟性又は可とう性を有する、スポンジ素材（やや硬めのスポンジ素材）、ゴム素材、又は樹脂素材などにより形成されている。また、図１において、３１ａは、前記略チューブ状のマスク紐挿通部３１に形成されたスリットであって前記略チューブ状のマスク紐挿通部３１の長手方向に沿って形成されたマスク紐１２が挿通可能なスリットである。また、図１において、３１ｅは、前記略チューブ状のマスク紐挿通部３１（図１（ｃ）のように折り曲げられた後のもの）をユーザーの耳介に装着するため当該耳介に引っ掛ける湾曲部（図１（ｃ）参照）である。なお、前記略チューブ状のマスク紐挿通部３１は、図では断面が略円形状としているが、断面が楕円形状でもよいし、断面が四角形状でもよいなど、断面形状は特に限定されていない。
【００２６】
前記略チューブ状のマスク紐挿通部３１は、柔らかいゴム、又はやや硬めのスポンジ等の材質から成るチューブ体であり、上部は耳介に後方から前方に掛けられるように屈曲しており、上前部から後方本体部分の背面には直線状又は蛇行状の（又は全周に渡る螺旋状の）スリット３１ａを持ち、マスク紐１２を簡単に押し入れることができるものである。また、前記略チューブ状のマスク紐挿通部３１（チューブ体）は、その外側を柔らかい布又はスポンジなどで包むことができ、こうすれば、感触をさらに柔らかいものとすることができる。
【００２７】
また、図１では図示を省略しているが、本実施形態１では、前記略チューブ状のマスク紐挿通部３１の外面側に、さらに、もう一層、柔らかいスポンジ等の保護層を接着等で付加するようにしてもよい。
【００２８】
本実施形態１において、前記略チューブ状のマスク紐挿通部３１は、例えば、従来より公知の、スポンジ層、柔らかいシリコンゴムなどのゴム系素材、柔軟性又は可とう性を有する合成樹脂素材（エポキシ樹脂、アセタール樹脂、ポリカーボネート樹脂、ポリフェニレンサルファイド樹脂など）などにより形成されている。なお、図１（ａ）などでは図示していないが、図１（ｃ）に示すような折曲げ状態を維持するための細いワイヤ（金属製の細い棒）などの支持体が挿入されていてもよい。
【００２９】
本実施形態１において、前記略チューブ状のマスク紐挿通部３１の長さは例えば５−１４ｃｍ（より望ましくは７−１２ｃｍ）、前記略チューブ状のマスク紐挿通部３１の厚さは例えば約１−３ｍｍ（より望ましくは約１．５−２．５ｍｍ又は約２ｍｍ）である。
【００３０】
本実施形態１では、図１（ａ）及び（ｂ）に示すような略チューブ状のマスク紐挿通部３１が、図１（ｃ）に示すようにユーザーの耳介後部の形状に沿うように折曲げられた状態で、市販又は使用される。前記略チューブ状のマスク紐挿通部３１は、前述のように、柔軟性又は可とう性を有する素材により形成されているので、極めて容易に図１（ｃ）に示すようなユーザーの耳介後部の形状に合う形状に折り曲げ加工することができる。また、これを購入した個々のユーザーも、前述のように折り曲げ加工された前記略チューブ状のマスク紐挿通部３１の形状を微妙に変形させて自分の耳介後部の形状に、よりフィットさせ適合させるなど前記折り曲げ状態を容易に微調整することができる。
【００３１】
次に、このような本実施形態１を使用するときの動作を説明する。ユーザーは、マスク１１（図５参照）を使用するときは、まず、マスク紐１２を前記略チューブ状のマスク紐挿通部３１の中に、前記スリット３１ａを介して配置する（図１（ａ）参照。また、図１（ｃ）において破線で示したマスク紐１２’を参照）。そして、ユーザーは、前記略チューブ状のマスク紐挿通部３１を自らの耳介後部２１（図５参照）に配置し前記湾曲部３１ｅを耳介上部に引っ掛けることにより、前記略チューブ状のマスク紐挿通部３１をユーザーの耳介後部２１（図５参照）に装着する（図１（ｃ）参照）。これにより、ユーザーがマスク１１を長時間に渡って使用するときでも、マスク紐１２がユーザーの耳介後部２１（図５参照）に直接に当接し圧迫することが、防止される。
【００３２】
以上のように、本実施形態１においては、前記湾曲部１ｅを利用してマスク紐１２中の少なくともユーザーの耳介後部２１（図５参照）に安定的に配置、装着することができる前記略チューブ状のマスク紐挿通部３１を備えたので、マスク紐１２は、前記略チューブ状のマスク紐挿通部３１を介してユーザーの耳介後部２１の皮膚に対向、配置されることになり、マスク紐１２が直接にユーザーの耳介後部２１の皮膚に当接しこれを圧迫することがない。よって、本実施形態１によれば、従来のようにマスク紐１２がユーザーの耳介後部２１の皮膚に直接に当接して（しかも長時間に渡り当接し圧迫して）ユーザーの耳介後部又はその周辺の皮膚に痛みを生じさせることを、回避できるようになる。
【００３３】
また、本実施形態１においては、前記略チューブ状のマスク紐挿通部３１を、柔軟性又は可とう性を有するスポンジ又はゴム系素材などにより一体的に形成したので、個々のユーザーは、前記略チューブ状のマスク紐挿通部３１の形状を、自らの耳介後部の形状にフィットするように容易に微調整できるようになる。
【００３４】
また、本実施形態１においては、前記略チューブ状のマスク紐挿通部３１を、柔軟性又は可とう性を有するスポンジ又はゴム系素材などにより形成し且つ略チューブ状のマスク紐挿通部３１が耳介後部２１の形状に沿うように折曲げられることにより一体的に形成するようにしたので、極めて単純な構成だけで低コストに、マスク紐減圧型皮膚保護用具を製造できると共に、個々のユーザーは前記略チューブ状のマスク紐挿通部３１と湾曲部３１ｅから成るマスク紐減圧型皮膚保護用具の形状を自らの耳介後部の形状にフィットするように容易に微調整できるようになる。
【００３５】
また、本実施形態１において、前記略チューブ状のマスク紐挿通部３１のユーザーの皮膚側に前記スポンジ層（スポンジ製の保護層）を備えるようにしたときは、ユーザーの耳介後部２１には常に柔らかい多孔質のスポンジ保護層が当接される結果、前記マスク紐１２による耳介後部２１又はその周辺の皮膚への痛みの発生が、より確実に回避、防止できるようになる。
【００３６】
〔実施形態２〕
以下、本考案の実施形態２について説明する。図２は、本考案の実施形態２によるマスク紐減圧型皮膚保護用具を説明するための概略図で、（ａ）は本実施形態２を構成する長尺板の長尺方向と直交する方向の断面図、（ｂ）は前記長尺板の側部を示す斜視図、（ｃ）は前記長尺板がユーザーの耳介後部の形状に沿うように折曲げられた状態を示す側面図である。
【００３７】
この図２において、１は柔軟性又は可とう性を有する樹脂素材又は金属素材により形成された断面略Ｖ字状の長尺板、２は前記長尺板１の外側部分（前記長尺板１の、断面略Ｖ字状凹部１ａの反対側の外側部分）に接着剤等で貼り付け又は取り付けられたスポンジ層（合成樹脂製の多孔質で柔らかい層）、１ｅは前記長尺板１（図２（ｃ）のように折り曲げられたもの）をユーザーの耳介に装着するため当該耳介に引っ掛ける湾曲部（図２（ｃ）参照）である。なお、図２（ｂ）及び（ｃ）では、前記スポンジ層２の図示を便宜上省略している。
【００３８】
本実施形態２において、前記長尺板１は、例えばエポキシ樹脂、アセタール樹脂、ポリカーボネート樹脂、ポリフェニレンサルファイド樹脂などの従来より公知の柔軟性又は可とう性を有する合成樹脂素材により形成されている（なお、このような合成樹脂ではなく、シリコンゴムなどのゴム系素材、アルミニウムなどの軟質・可とう性のある金属素材により前記長尺板１を形成することも可能である）。
【００３９】
本実施形態２において、前記長尺板１の長さは例えば５−１４ｃｍ（より望ましくは７−１２ｃｍ）、前記長尺板１の厚さは例えば約１−３ｍｍ（より望ましくは約１．５−２．５ｍｍ又は約２ｍｍ）である。また本実施形態２において、前記スポンジ層２の長さは前記長尺板１の長さとほぼ同一、前記スポンジ層２の厚さは例えば約０．５−２ｍｍ（より望ましくは約１−１．５ｍｍ、又は約１−２ｍｍ）である。
【００４０】
本実施形態２では、図２（ａ）及び（ｂ）に示すような断面略Ｖ字状の長尺板１が、ユーザーの耳介後部の形状に沿うように折曲げられた状態で、市販又は使用される。前記断面略Ｖ字状の長尺板１は、前述のように、柔軟性又は可とう性を有する合成樹脂素材などにより形成されているので、極めて容易に図２（ｃ）に示すようなユーザーの耳介後部の形状に合う形状に折り曲げ加工することができる。また、これを購入した個々のユーザーも、前述のように折り曲げ加工された前記断面略Ｖ字状の長尺板１の形状を微妙に変形させて自分の耳介後部の形状に、よりフィットさせ適合させるなど前記折り曲げ状態を容易に微調整することができる。
【００４１】
次に、このような本実施形態２を使用するときの動作を説明する。ユーザーは、マスク１１（図５参照）を使用するときは、まず、マスク紐１２を前記長尺板１の断面略Ｖ字状の長尺凹部１ａの中に配置する（図２（ａ）参照。また、図２（ｃ）において破線で示したマスク紐１２’を参照）。そして、ユーザーは、前記長尺板１を自らの耳介後部２１（図５参照）に配置し前記湾曲部１ｅを耳介上部に引っ掛けることにより、前記長尺板１をユーザーの耳介後部２１（図５参照）に装着する（図２（ｃ）参照）。これにより、ユーザーがマスク１１を長時間に渡って使用するときでも、マスク紐１２がユーザーの耳介後部２１（図５参照）に直接に当接し圧迫することが、防止される。
【００４２】
以上のように、本実施形態２においては、前記湾曲部１ｅを利用してマスク紐１２中の少なくともユーザーの耳介後部２１（図５参照）に安定的に配置、装着することができる長尺板１を備えたので、マスク紐１２は、前記長尺板１を介してユーザーの耳介後部２１の皮膚に対向、配置されることになり、マスク紐１２が直接にユーザーの耳介後部２１の皮膚に当接しこれを圧迫することがない。よって、本実施形態２によれば、従来のようにマスク紐１２がユーザーの耳介後部２１の皮膚に直接に当接して（しかも長時間に渡り当接し圧迫して）ユーザーの耳介後部又はその周辺の皮膚に痛みを生じさせることを、回避できるようになる。
【００４３】
また、本実施形態２においては、前記長尺板１を、柔軟性又は可とう性を有する合成樹脂素材により一体的に形成したので、個々のユーザーは、前記長尺板１の形状を、自らの耳介後部の形状にフィットするように容易に微調整できるようになる。
【００４４】
また、本実施形態２においては、前記長尺板１を、柔軟性又は可とう性を有する樹脂素材又は金属素材により形成し且つ断面略Ｖ字状の長尺板１が耳介後部２１の形状に沿うように折曲げられることにより一体的に形成するようにしたので、極めて単純な構成だけで低コストに、マスク紐減圧型皮膚保護用具を製造できると共に、個々のユーザーは前記長尺凹部と湾曲部から成るマスク紐減圧型皮膚保護用具の形状を自らの耳介後部の形状にフィットするように容易に微調整できるようになる。
【００４５】
また、本実施形態２においては、前記長尺板１のユーザーの皮膚側に前記スポンジ層（スポンジ製の保護層）を備えるようにしたので、ユーザーの耳介後部２１には常に柔らかい多孔質のスポンジ保護層が当接される結果、前記マスク紐１２による耳介後部２１又はその周辺の皮膚への痛みの発生が、より確実に回避、防止できるようになる。
【００４６】
〔実施形態３〕
次に、図３を参照して本考案の実施形態３を説明する。なお、以下では、本実施形態３の基本的構成については前記実施形態２と同様であるから説明を省略し、前記実施形態２と異なる部分を中心に説明する。
【００４７】
本実施形態３では、前記実施形態２と同様に、前記長尺板１の断面略Ｖ字状の長尺凹部１ａの中にマスクの紐１２を配置する（図２（ａ）参照）が、この場合において、様々な原因から前記紐１２が前記長尺凹部１ａから外に移動してしまう可能性がある。そこで、本実施形態３では、このような事態を防ぐため、前記長尺凹部１ａを構成する前記長尺板１の両端部１ｂ，１ｃ中の一方の端部１ｂの１つ又は複数箇所に、前記長尺凹部１ａの図示上側開口部の一部を塞ぐための棒状部材（バー）３を配置するようにしていた。
【００４８】
この棒状部材３は、前記長尺凹部１ａを構成する前記長尺板１の両端部１ｂ，１ｃ中の一方の端部１ｂの上端面に、支持部４により前記長尺凹部１ａの図示上側開口部の一部を塞ぐ方向に、すなわち前記長尺板１の両端部１ｂ，１ｃ中の他方の端部１ｃの上端側に延びる方向に、回動可能に備えられている。このように前記棒状部材３は前記支持部４を支点として回動可能に構成され、そして前記回動する棒状部材３の先端部分３ａは、鉤状（フック状）に形成されている（図３（ａ）参照）。
【００４９】
そして、前記棒状部材３が前記支持部４を支点として回動されたとき、その鉤状（フック状）の先端部分３ａは、前記長尺凹部１ａを構成する前記長尺板１の両端部１ｂ，１ｃ中の他方の端部５に取り付けられた鉤状突出部５に引っ掛けられて固定され（図３（ａ）参照）、これにより、前記長尺凹部１ａの図示上側開口部の一部が塞がれる。
【００５０】
本実施形態３では、前述のような前記長尺凹部１ａの図示上側開口部の一部を塞ぐための棒状部材３、支持部４、及び鉤状突出部５は、前記長尺凹部１ａを構成する前記長尺板１の両端部１ｂ，１ｃに複数箇所、図３の例では２箇所、備えられている（図３（ｂ）及び（ｃ）参照）。
【００５１】
ユーザーは、マスクを使用するときは、前記実施形態２において説明した動作に加えて、マスクの紐１２を前記長尺板１の長尺凹部１ａ中に配置させてから、前記棒状部材３を回動させてその先端部３ａを前記鉤状突出部５に引っ掛けて取り付け（図３（ａ）において破線で示した棒状部材３’を参照）、その後、マスクを自らの顔等に装着する。これ以外の動作は前記実施形態２と同様である。
【００５２】
以上のように、本実施形態３によれば、前記実施形態２による作用効果に加えて、前記長尺板１の両端部１ｂ，１ｃに前記棒状部材３、支持部４、及び鉤状突出部５を備えるようにしたので、前記長尺凹部１ａの図示上側開口部の一部を塞ぐことができるようになり、前記長尺凹部１ａ中に配置されるマスク紐１２が前記長尺凹部１ａの外側に移動することが防止できるようになる。
【００５３】
〔実施形態４〕
次に、図４を参照して本考案の実施形態４を説明する。以下では、本実施形態４の基本的構成については前記実施形態１−３と同様である（すなわち、この実施形態４は、前述した実施形態１−３のいずれかに以下の平板状保護具６，６’などの内容を付加したものである）から説明を省略し、前記実施形態２と異なる部分を中心に説明する。
【００５４】
本実施形態４では、マスク紐１２中のユーザーの頬の皮膚（例えば図５の符号１２ｂで示すような、頬の中の比較的突出している部分）に当接する部分及びその周辺部分を自らに取り付け又は保持可能で且つユーザーの頬の皮膚に対向又は当接可能な平板状保護具６を備えるようにしている。この平板状保護具６には、その裏面側（ユーザーの皮膚に当接する側）に、例えばスポンジ製の厚さ約１〜３ｍｍ（又は約０．５〜２．０ｍｍ）の保護層７が接着等で固定されている。
【００５５】
また、この平板状保護具６の表面（ユーザーの皮膚と反対側）の１つ又は複数箇所（図４の例では２箇所）には、マスクの紐１２を内部に保持可能でかつ前記紐１２を内外に移動可能な紐保持用金具８（例えば、可とう性のある金属製の細い棒が折り曲げ加工されて成る金具）が備えられている。
【００５６】
この紐保持用金具８は、図４（ｂ）などに示すように、その底部８ａが前記平板状保護具６の上面に接着等で固定され、その底部８ａの両端側からそれぞれ斜め上方向（前記各傾斜部８ｂの各先端部８ｄが互いに近づくような斜め上方向）に延びる各傾斜部８ｂが形成されており、この各傾斜部８ｂにより紐１２を保持できる紐保持空間８ｃが形成されている。
【００５７】
また、前記紐保持用金具８は、図４（ｂ）に示すように、前記各傾斜部８ｂの各先端部８ｄが互いに微小な隙間８ｅ（例えば１−３ｍｍの隙間）を介して近接するように形成されており、マスク紐１２は、この各傾斜部８ｂの各先端部８ｄの間の微小な隙間８ｅを通過して前記紐保持空間８ｃの中へ又は外へと移動できるようになっている（図４（ｂ）の矢印、及び破線で示したマスク紐１２’参照）。また前述のように、前記各傾斜部８ｂの各先端部８ｄの間の隙間８ｅは、例えば１−３ｍｍの微小な距離の隙間であるため、前記紐保持空間８ｃの中に入れられたマスク紐１２は容易に前記紐保持空間８ｃの外には移動しないようになっている。
【００５８】
ユーザーは、マスクを使用するときは、前記実施形態２において説明した動作に加えて、マスク紐１２の一部（ユーザーの頬に対向する部分）を前記紐保持用金具８の紐保持空間８ｃの中に入れてマスク紐１２を前記紐保持用金具８内に保持させてから、図４（ｃ）の符号６’で示す破線のように、前記紐保持用金具８をマスク１１と一緒にユーザーの頬に装着、当接させる。
【００５９】
以上のように、本実施形態４によれば、マスク紐１２中のユーザーの頬の皮膚（例えば図５の符号１２ｂで示すような、頬の中の比較的突出している部分）に当接する部分を取り付け又は保持可能で且つユーザーの頬の皮膚に対向又は当接可能な平板状保護具６を備えるようにしたので、前記実施形態２による作用効果に加えて、前記マスク紐１２中のユーザーの頬の皮膚（頬の中の比較的突出している部分。図５の符号１２ｂ参照）に当接する部分が、ユーザーの頬の皮膚に痛み、苦痛を感じさせることを、有効に回避、防止することができる。
【００６０】
また、本実施形態４においては、前記平板状保護具６のユーザーの皮膚側に、厚さ０．５−２ｍｍ（望ましくは１ｍｍくらい）のスポンジ層７を備えたので、前記マスク紐１２中のユーザーの頬の皮膚（図５の符号１２ｂ参照）に当接する部分及びその周辺部分に対向するユーザーの頬には常に柔らかい多孔質のスポンジ製の保護層７が当接されることになり、その結果、前記マスク紐１２中のユーザーの頬の皮膚（図５の符号１２ｂ参照）に当接する部分による、ユーザーの頬の皮膚への痛みの発生を、より確実に回避、防止できるようになる。
【００６１】
以上、本考案の各実施形態について説明したが、本考案は前記の各実施形態として述べたものに限定されるものではなく、様々な修正及び変更が可能である。例えば、前記各実施形態２−３では、前記長尺板１を従来より公知の柔軟性又は可とう性を有する合成樹脂素材により形成した例を示したが、本考案においては、前記長尺板１を、樹脂素材ではなく、シリコンゴムなどのゴム系素材、アルミニウムなどの軟質・可とう性のある金属素材により形成するようにしてもよい（なお、前記長尺板１をアルミニウムなどの軟質・可とう性のある金属素材により形成する場合は、例えば断面略Ｖ字状の長尺板の両端部に、多数の切り込み・切れ目（長尺板を折り曲げ加工し易いようにするためのもの）を予め形成しておくようにしてもよい）。また、前記各実施形態では、前記長尺板１のユーザー側にスポンジ層２，７を備えるようにしたが、本考案では、前記スポンジ層２，７に代えて、フェルト布などの柔らかい布素材による緩衝保護層を前記長尺板１のユーザー側に備えるようにしてもよい。
【符号の説明】
【００６２】
１  長尺板
１ａ  長尺凹部
１ｂ，１ｃ  長尺板の端部
１ｅ  湾曲部
２，７  スポンジ層
３  棒状部材
３ａ  棒状部材の先端部分
４  支持部
５  鉤状突出部
６，６’  平板状保護具
８  紐保持用金具
８ａ  紐保持用金具の底部
８ｂ  紐保持用金具の傾斜部
８ｃ  紐保持空間
８ｄ  紐保持用金具の先端部
８ｅ  微小な隙間
１１  マスク
１２，１２’  マスク紐
３１  略チューブ状のマスク紐挿通部（略チューブ体）
３１ａ  スリット
【図１】
0003229972.tif 000003
【図２】
0003229972.tif 000004
【図３】
0003229972.tif 000005
【図４】
0003229972.tif 000006
【図５】
0003229972.tif 000007
【手続補正書】
【提出日】令和2年10月14日(2020.10.14)
【手続補正１】
【補正対象書類名】実用新案登録請求の範囲
【補正対象項目名】全文
【補正方法】変更
【補正の内容】
【実用新案登録請求の範囲】
【請求項１】
マスクの紐による耳介上面の溝への圧迫を減ずるために、紐と耳介の間に挿入するマスク紐減圧型皮膚保護用具であって、側頭部と耳介の合する部位の上面の溝の弯曲の度合いが、当該用具の方が鋭くなく弱く（すなわち、溝の横断面での曲率の半径が当該用具の方がより長く）形成されており、当該用具が溝に直接当たらない又は当たりにくいように作られている、ことを特徴とするマスク紐減圧型皮膚保護用具。
【請求項２】
マスク紐の当接により発生するユーザーの耳介後部又はその周辺の皮膚の痛みを改善又は防止するためのマスク紐減圧型皮膚保護用具であって、マスク紐中の少なくともユーザーの耳介後部に対向する部分が安定的に配置される略チューブ状のマスク紐挿通部であって、その長手方向に沿ってマスク紐が挿通可能なスリットが形成されている略チューブ状のマスク紐挿通部と、前記略チューブ状のマスク紐挿通部をユーザーの耳介後部又はその周辺に装着させるための湾曲部であってユーザーの耳介上部に装着可能な湾曲部とを備えており、前記略チューブ状のマスク紐挿通部は、ユーザー側に近接する部分がユーザーの側頭部と耳介後部とがなす溝の最深部に接触しないように、すなわちユーザー側に近接する部分がユーザーの側頭部と耳介後部とがなす角度よりも大きな角度となるように形成されており、これにより、前記マスク紐により前記溝及びその周辺部分に加えられる圧力を減じる（減圧する）ように構成されていることを特徴とする、マスク紐減圧型皮膚保護用具。
【請求項３】
マスク紐の当接により発生するユーザーの耳介後部又はその周辺の皮膚の痛みを改善又は防止するためのマスク紐減圧型皮膚保護用具であって、長尺凹部状に形成されており且つマスク紐中の少なくともユーザーの耳介後部に対向する部分が安定的に配置される長尺凹部状のマスク紐挿通部と、前記長尺凹部状のマスク紐挿通部をユーザーの耳介後部又はその周辺に装着させるための湾曲部であってユーザーの耳介上部に装着可能な湾曲部とを備えており、前記長尺凹部状のマスク紐挿通部は、ユーザー側に近接する部分がユーザーの側頭部と耳介後部とがなす溝の最深部に接触しないように、すなわちユーザー側に近接する部分がユーザーの側頭部と耳介後部とがなす角度よりも大きな角度となるように形成されており、これにより、前記マスク紐により前記溝及びその周辺部分に加えられる圧力を減じる（減圧する）ように構成されていることを特徴とする、請求項２に記載のマスク紐減圧型皮膚保護用具。
【請求項４】
前記長尺凹部状のマスク紐挿通部と湾曲部は、柔軟性又は可とう性を有する樹脂素材又は金属素材により一体的に形成されている、請求項３に記載のマスク紐減圧型皮膚保護用具。
【請求項５】
前記長尺凹部状のマスク紐挿通部と湾曲部は、柔軟性又は可とう性を有する樹脂素材又は金属素材により形成された断面略Ｖ字状の長尺板が耳介後部の形状に沿うように折曲げられることにより一体的に形成されている、請求項３又は４に記載のマスク紐減圧型皮膚保護用具。
【請求項６】
少なくとも前記マスク紐挿通部のユーザーの皮膚側には、厚さ０．５〜２．０ｍｍの保護層が備えられている、請求項２から５までのいずれかに記載のマスク紐減圧型皮膚保護用具。
【請求項７】
前記マスク紐挿通部には、前記長尺凹部状のマスク紐挿通部の上側開口部の一部を塞ぐ塞ぎ部が備えられている、請求項３から５までのいずれかに記載のマスク紐減圧型皮膚保護用具。
【請求項８】
マスク紐中のユーザーの頬の皮膚に当接する部分を取り付け又は保持可能で且つユーザーの頬の皮膚に対向又は当接可能な平板状保護具をさらに備えている、請求項２から７までのいずれかに記載のマスク紐減圧型皮膚保護用具。
【請求項９】
前記平板状保護具のユーザーの皮膚側には、厚さ０．５〜２．０ｍｍの保護層が備えられている、請求項８に記載のマスク紐減圧型皮膚保護用具。